(57)【要約】      （修正有）【課題】  ハイウエイカードや切符等を簡単に取り出し使用可能にし収納保持でき、また収納時もあまり目立たず、体裁よく携帯できるようにしたネクタイで、一枚のネクタイ生地によってポケットを形成したネクタイを提供する。【解決手段】大剣部のあるネクタイで、一方の背面側布２の幅を正面側布１の幅よりやや狭くし正面側布の背面に折りこみ、一方の背面側布３はその下端に正面側布の幅よりやや狭い拡幅部４を設け、拡幅部上方につながる湾曲部５を介して正面側布幅の半分に幅をせばめ、この背面側布を正面側布の背面に折り込んで背面側布の上に重ね、湾曲部５上の一点６と湾曲部終点７で背面側布と背面側布とを糸留めし、両糸留め間をポケット開口部Ａとし、ネクタイ大剣部裏面に収納ポケット１０を形成する。【選択図】  図１
2005240259.tif 000002
【特許請求の範囲】
【請求項１】
ネクタイ大剣部の正面側布（１）の両側に背面側布（２）と背面側布（３）を設け、背面側布（２）と背面側布（３）をそれぞれ正面側布（１）の背面に折りこんで造るネクタイであって、一方の背面側布（２）はその幅を正面側布（１）の幅よりやや狭くして正面側布（１）の背面に折りこみ、一方の背面側布（３）はその下端に正面側布（１）の幅よりやや狭い拡幅部（４）を設け更に拡幅部（４）の上方につながる湾曲部（５）を介して正面側布（１）の幅のほぼ半分になるように幅をせばめたもので、この背面側布（３）を正面側布（１）の背面に折りこんで背面側布（２）の上に重ね、湾曲部（５）上の一点（６）と湾曲部終点（７）において背面側布（２）と背面側布（３）とを糸留めしてこの両糸留めの間をポケット開口部Ａとし、上記湾曲部終点（７）と拡幅部下端（８）の間、及び背面側布（２）の下方の角部（９１）を正面側布（１）の背面に折りこんだ位置（９）と上記拡幅部下端（８）との間において背面側布（２）と背面側布（３）を縫い目（７１、７１、・・・・）及び縫い目（８１、８１、・・・・）により縫い付けて袋状にすることによって一枚のネクタイ生地によってネクタイ大剣部裏面に収納ポケット（１０）を形成したことを特徴とするネクタイ。
【請求項２】
上記湾曲部終点（７）と拡幅部下端（８）の間、及び背面側布（２）の下方の角部（９１）を正面側布（１）の背面に折りこんだ位置（９）と上記拡幅部下端（８）との間において、背面側布（２）と背面側布（３）を縫い目により縫い付ける代わりに接着性両面テープ（４１、４２）を用いて背面側布（２）と背面側布（３）とを接合して収納ポケット（１０）を形成したことを特徴とするネクタイ。
【発明の詳細な説明】
【技術分野】
【０００１】  本発明は、ハイウエイカードや切符などを簡単に取り出し使用可能にして収納保持でき、また収納時でもあまり目立たず、体裁よく携帯できるようにしたネクタイに関するもので、ネクタイの布地の裁断並びに縫製方法を工夫して、一枚のネクタイ生地によってポケットを形成することを可能にしたものである。
【背景技術】
【０００２】  ハイウエイカードや切符などはポケットや財布に入れて携行し必要の都度取り出して使用することが多い。しかし、ポケットでは一緒に入れている他のものを取り出すとき誤って落としてしまうことがあり、財布では必要時に速やかに取り出すことができない。【０００３】  身近に携行し必要時には直ぐ取り出せるようにするという目的のために、ネクタイの背面にポケットを設けることが考案されている。実用新案登録第３０５７９４２号では、ネクタイ本体裏面に老眼鏡を収納するポケットを形成することが提案されている。この収納ポケットは、ネクタイ本体の大剣部下部の裏面に、縦長の長方形状に裁断した布片の左右側縁、底側縁を縫合することで形成されている。また、特開２０００−３４５４１２号には常備薬入れとしてネクタイの裏側にジッパー付きポケットを設けることが提案されている。【０００４】  これらのいずれもが、ネクタイの背面に別の布片を縫い付けてポケットを形成しているので、ファッション製品であるネクタイにとって美観上好ましくない。また、ポケットを形成するために余分な生地が必要となり、それを縫い付ける作業を生じ、加えてネクタイが分厚く重くなることも問題である。
【特許文献１】実用新案登録第３０５７９４２号
【特許文献２】特開２０００−３４５４１２号
【発明の開示】
【発明が解決しようとする課題】
【０００５】  本発明は、一枚のネクタイ生地によってネクタイの大剣部背面下部にポケットを形成し、ファッション性と実用性を兼ね備え、また生産性のよい構造のネクタイを提供することにある。
【課題を解決するための手段】
【０００６】  前記技術的課題は、次の通りの本発明によって解決できる。【０００７】  請求項１記載の発明（以下本発明１という）は、ネクタイ大剣部の正面側布１の両側に背面側布２と背面側布３を設け、背面側布２と背面側布３をそれぞれ正面側布１の背面に折りこんで造るネクタイであって、一方の背面側布２はその幅を正面側布１の幅よりやや狭くして正面側布１の背面に折りこみ、一方の背面側布３はその下端に正面側布１の幅よりやや狭い拡幅部４を設け更に拡幅部４の上方につながる湾曲部５を介して正面側布１の幅のほぼ半分になるように幅をせばめたもので、この背面側布３を正面側布１の背面に折りこんで背面側布２の上に重ね、湾曲部５上の一点６と湾曲部終点７において背面側布２と背面側布３とを糸留めしてこの両糸留めの間をポケット開口部Ａとし、上記湾曲部終点７と拡幅部下端８の間、及び背面側布２の下方の角部９１を正面側布１の背面に折りこんだ位置９と上記拡幅部下端８との間において背面側布２と背面側布３を縫い目７１、７１、・・・・及び縫い目８１、８１、・・・・により縫い付けて袋状にすることによって一枚のネクタイ生地によってネクタイ大剣部裏面に収納ポケット１０を形成することを特徴とする。【０００８】  請求項２記載の発明（以下本発明２という）は、上記湾曲部終点７と拡幅部下端８の間、及び背面側布２の下方の角部９１を正面側布１の背面に折りこんだ位置９と上記拡幅部下端８との間において背面側布２と背面側布３を縫い目により縫い付ける代わりに接着性両面テープ４１、４２を用いて背面側布２と背面側布３とを接合して収納ポケット１０を形成することを特徴とする。【０００９】  本発明２で用いる接着性両面テープとしては、例えばアクリル系圧着両面テープやナイロン系熱接着両面テープが挙げられる。
【発明の効果】
【０００１０】  以上のように本発明に係るネクタイは、一枚のネクタイ生地によってネクタイの大剣部背面下部にポケットを形成するので、ネクタイの背面にポケットになる別の袋が存在しないためにファッション性を損なうことがなく、ポケットを別に縫い付ける手間もかからず生産性もよい。また、湾曲した開口部からカードや切符などの小物が簡単に出し入れできるので、実用性の点でもすぐれている。本発明の産業上利用性は非常に高いと言える。
【発明を実施するための最良の形態】
【００１１】  以下、本発明の実施の形態を図面に基づき説明する。
【実施例１】
【００１２】  図１は本発明１のネクタイ大剣部の下部を背面から見た図で、縫製前と縫製後の図を重ね合わせて示したものである。通常のネクタイの場合は、左右ほぼ対称の布地を折り曲げて背面の中心部で縫い合わせているが、本発明１のネクタイはネクタイの大剣部背面下部の左右の形が異なる。即ち、本発明１はネクタイ大剣部の正面側布１の両側に背面側布２と背面側布３を設け、背面側布２と背面側布３をそれぞれ正面側布１の背面に折りこんで造るネクタイであって、一方の背面側布２はその幅を正面側布１の幅よりやや狭くして正面側布１の背面に折りこみ、一方の背面側布３はその下端に正面側布１の幅よりやや狭い拡幅部４を設け更に拡幅部４の上方につながる湾曲部５を介して正面側布１の幅のほぼ半分になるように幅をせばめたもので、この背面側布３を正面側布１の背面に折りこんで背面側布２の上に重ね、湾曲部５上の一点６と湾曲部終点７において背面側布２と背面側布３とを糸留めしてこの両糸留めの間をポケット開口部Ａとし、上記湾曲部終点７と拡幅部下端８の間、及び背面側布２の下方の角部９１を正面側布１の背面に折りこんだ位置９と上記拡幅部下端８との間において背面側布２と背面側布３を縫い目７１、７１、・・・・及び縫い目８１、８１、・・・・により縫い付けて袋状にすることによって一枚のネクタイ生地によってネクタイ大剣部裏面に収納ポケット１０を形成する。【００１３】  本発明１の実施の形態の一例を図１により更に詳細に説明する。背面側布２の幅は、背面側布２を正面側布１の背面に折りこんだとき背面側布３の折り曲げた線から５ｍｍ内側になるようにした。背面側布２の幅は背面側布２の下方の角部９１においては８５ｍｍとした。背面側布３の下端に設けた拡幅部４の幅は正面側布１の幅より５ｍｍ狭くした。拡幅部４の幅は拡幅部下端８の位地で８５ｍｍ、彎曲部終点７の位地で８０ｍｍとした。背面側布３は、彎曲部点７からはなだらかな彎曲部５を介して正面側布１の幅のほぼ半分の４０ｍｍに幅を狭めた。背面側布２を正面側布１の背面に折りこみ、その上に背面側布３を折りこんで重ね、彎曲部終点７から直線距離で７０ｍｍ離れた湾曲部５上の一点６の位地と彎曲部終点７の位地で背面側布２と３とを糸留めしてこの両糸留めの間をポケットト開口部Ａにした。ポケット開口部Ａの長さの７０ｍｍは通常のカードを出し入れするのに適当な大きさとして設定した。更に彎曲部終点７と拡幅部下端８の間、及び背面側布２の下方の角部９１を正面側布１の背面に折りこんだ位置９と拡幅部下端８との間において背面側布２と背面側布３を縫い目７１、７１、・・・・及び縫い目８１、８１、・・・・により縫い付けて袋状にすることによって収納ポケットを形成した。収納ポケットの深さになる彎曲部終点７と拡幅部下端８の間の長さは通常のカードの大きさを考慮して８５ｍｍにした。縫い目７１、７１、・・・・及び縫い目８１、８１、・・・・の縫い目の間隔は３ｍｍにしたが、通常のカードや切符だけを収納するのであれば２ｃｍにしてもよい。
【実施例２】
【００１４】図２は、実施例１と同寸法のネクタイにおいて彎曲部終点７と拡幅部下端８の間、及び背面側布２の下方の角部９１を正面側布１の背面に折りこんだ位置９と拡幅部下端８との間において背面側布２と背面側布３を縫い目７１、７１、・・・・及び縫い目８１、８１、・・・・により縫い付ける代わりに幅５ｍｍのアクリル系接着性両面テープ（ニチバン株式会社製ナイスタックＮＷ−５）を用いて接合して収納ポケットを形成した。テープの幅は５ｍｍ以下では十分な接着強度が得られず、５ｍｍ以上ではポケットの容量が小さくなるので好ましくない。
【図面の簡単な説明】
【００１５】
【図１】  実施例１を示す説明図。
【図２】  実施例２を示す説明図。
【符号の説明】
【００１６】１          正面側布
２          背面側布
３          背面側布
４          拡幅部
４１、４２  接着性両面テープ
５          湾曲部
６          彎曲部５上の一点
７          彎曲部の終点
７１、８１  縫い目
８          拡幅部下端
９          背面側布２の下方の角部９１を正面側布１の背面に折りこんだ位置
９１        背面側布２の下方の角部
１０        収納ポケット
Ａ          ポケット開口部
【図１】
2005240259.tif 000003
【図２】
2005240259.tif 000004